(57)【要約】  表示装置（１）は、表示パネル（２）のリフレッシュレートを変更するリフレッシュレート変更手段（１５）と、表示パネル（２）のリフレッシュレートの変更に応じて、ソース信号の極性反転の時間的周期および空間的周期の少なくともいずれか一方を変更する極性反転制御部（２０）とを備える。
2013024754.tif 000002
【特許請求の範囲】
【請求項１】
複数のゲート信号ライン、当該複数のゲート信号ラインと交差するように配置された複数のソース信号ライン、および、当該複数のゲート信号ラインと当該複数のソース信号ラインとの交差部に対応して配置された複数の画素を有する表示パネルと、
前記複数の画素の各々に対し、対応するソース信号ラインを介して、ソース信号を供給する信号線駆動回路と、
前記表示パネルのリフレッシュレートを変更するリフレッシュレート変更手段と、
前記リフレッシュレートの変更に応じて、前記ソース信号の極性反転の時間的周期および空間的周期の少なくともいずれか一方を変更する極性反転制御手段と
を備えることを特徴とする表示装置。
【請求項２】
前記リフレッシュレートが低下した場合、
前記極性反転制御手段は、前記空間的周期を短くする
ことを特徴とする請求項１に記載の表示装置。
【請求項３】
前記リフレッシュレートが増大した場合、
前記極性反転制御手段は、前記空間的周期を長くする
ことを特徴とする請求項１または２に記載の表示装置。
【請求項４】
前記リフレッシュレートが低下した場合、
前記極性反転制御手段は、前記時間的周期を短くする
ことを特徴とする請求項１から３のいずれか一項に記載の表示装置。
【請求項５】
前記リフレッシュレートが増大した場合、
前記極性反転制御手段は、前記時間的周期を長くする
ことを特徴とする請求項１から４のいずれか一項に記載の表示装置。
【請求項６】
前記リフレッシュレートが３５Ｈｚよりも低下した場合、
前記極性反転制御手段は、
前記時間的周期および前記空間的周期の少なくともいずれか一方を短くする
ことを特徴とする請求項１から５のいずれか一項に記載の表示装置。
【請求項７】
前記リフレッシュレートが６５Ｈｚよりも増大した場合、
前記極性反転制御手段は、
前記時間的周期および前記空間的周期の少なくともいずれか一方を長くする
ことを特徴とする請求項１から６のいずれか一項に記載の表示装置。
【請求項８】
前記極性反転制御手段は、
前記時間的周期および前記空間的周期の少なくともいずれか一方を、段階的に変更する
ことを特徴とする請求項１から７のいずれか一項に記載の表示装置。
【請求項９】
前記極性反転制御手段は、
偶数毎のフレームを単位として、前記時間的周期および前記空間的周期の少なくともいずれか一方を、段階的に変更する
ことを特徴とする請求項８に記載の表示装置。
【請求項１０】
前記複数の画素の各々のＴＦＴの半導体層には、酸化物半導体が用いられている
ことを特徴とする請求項１から９のいずれかに記載の表示装置。
【請求項１１】
前記酸化物半導体は、ＩＧＺＯであることを特徴とする請求項１０に記載の表示装置。
【請求項１２】
前記リフレッシュレート変更手段は、
前記表示パネルの駆動を休止する休止期間を設けることにより、前記表示パネルのリフレッシュレートを低下させる
ことを特徴とする請求項１から１１のいずれかに記載の表示装置。
【発明の詳細な説明】
【技術分野】
【０００１】
本発明は、表示装置に関する。
【背景技術】
【０００２】
近年、液晶表示装置に代表される薄型、軽量、および低消費電力の表示装置が盛んに活用されている。こうした表示装置は、例えば携帯電話、スマートフォン、ＰＤＡ（携帯型情報端末）、電子ブック、ラップトップ型パーソナルコンピュータ等への搭載が顕著である。また、今後はより薄型の表示装置である電子ペーパーの開発および普及も急速に進むことが期待されている。このような状況の中、各種の表示装置においては、消費電力を低下させることや、表示画質を向上させることが共通の課題となっている。【０００３】
そこで、表示装置に関し、このような課題を解決することを目的とした様々な技術が考案されている。【０００４】
例えば、下記特許文献１には、表示データの極性を表示行単位で反転させる液晶表示装置において、クロストークを抑制することを目的として、表示データの反転間隔をフレーム毎に異ならせる技術が開示されている。
【先行技術文献】
【特許文献】
【０００５】
【特許文献１】日本国公開特許公報「特開平０５−０６１４４０号公報（公開日：１９９３年３月１２日）」
【発明の概要】
【発明が解決しようとする課題】
【０００６】
従来、表示画像をより高画質なものとするため、単位時間あたりのフレーム数を増やすといった技術が用いられている。例えば、動画を表示する際に、１秒あたりのフレーム数を６０（すなわち、６０ｆｐｓ）から１２０（すなわち、１２０ｆｐｓ）に増加することにより、より滑らかな動きを表現することができるとともに、フリッカなどの表示不具合の発生を抑制することができる。しかしながら、単位時間あたりのフレーム数の増加に応じて、その分表示パネルを駆動する回数が増加するため、消費電力が増加することとなる。このため、消費電力の低減を重視する場合には、反対に、単位時間あたりのフレーム数を減らすといった技術が用いられていた。しかしながら、このように単位時間あたりのフレーム数を減らした場合、当然の如く、フリッカなどの表示不具合が生じ易くなる。このように、従来の技術では、表示画質の低下を抑制しつつ、消費電力を低減することができない。【０００７】
本発明は、前記の問題に鑑みてなされたものであり、その目的は、より低い消費電力で、より高い表示画質を得ることができる表示装置を提供することにある。
【課題を解決するための手段】
【０００８】
本発明に係る表示装置は、上述した課題を解決するため、複数のゲート信号ライン、当該複数のゲート信号ラインと交差するように配置された複数のソース信号ライン、および、当該複数のゲート信号ラインと当該複数のソース信号ラインとの交差部に対応して配置された複数の画素を有する表示パネルと、前記複数の画素の各々に対し、対応するソース信号ラインを介して、ソース信号を供給する信号線駆動回路と、前記表示パネルのリフレッシュレートを変更するリフレッシュレート変更手段と、前記リフレッシュレートの変更に応じて、前記ソース信号の極性反転の時間的周期および空間的周期の少なくともいずれか一方を変更する極性反転制御手段とを備えることを特徴とする。【０００９】
本発明に係る表示装置によれば、リフレッシュレートの変更により、消費電力の低下とともに表示画質が低下することとなった場合であっても、ソース信号の反転周期を変更することで、表示画質の低下を抑制することができる。また、本発明に係る表示装置によれば、リフレッシュレートの変更により、表示画質の向上とともに消費電力が増加することとなった場合であっても、ソース信号の反転周期を変更することで、消費電力の増加を抑制することができる。したがって、本発明に係る表示装置によれば、消費電力を低減しつつ、表示画質の低下を抑制することができる。
【発明の効果】
【００１０】
本発明に係る表示装置によれば、リフレッシュレートの変更による表示画質の低下および消費電力の低下を抑制することができるので、より低い消費電力で、より高い表示画質を得ることができるという効果を奏する。
【図面の簡単な説明】
【００１１】
【図１】実施形態１に係る表示装置の全体構成を示す図である。
【図２】実施形態１に係る極性反転制御部による極性反転方式の変更例を示す概念図である。
【図３】実施形態２に係る極性反転制御部による極性反転方式の変更例を示す概念図である。
【図４】極性反転方式「２ドット反転」によりソース信号が書き込まれた状態の表示パネルを示す図である。
【図５】極性反転方式「１ドット反転」によりソース信号が書き込まれた状態の表示パネルを示す図である。
【図６】極性反転方式「ソース反転」によりソース信号が書き込まれた状態の表示パネルを示す図である。
【図７】極性反転方式「ソース反転」によりソース信号が書き込まれた状態の表示パネルを示す図である。
【図８】実施形態３に係る極性反転制御部による極性反転方式の変更例を示す概念図である。
【図９】実施形態４に係る極性反転制御部による極性反転方式の変更例を示す概念図である。
【図１０】実施形態５に係るリフレッシュレート変更部によるリフレッシュレートの変更例を示す概念図である。
【図１１】表示パネル２が備える画素の構成を示す図である。
【図１２】各種ＴＦＴの特性を示す図である。
【図１３】ある表示装置に対するフリッカの認識実験の実験結果を示す。
【図１４】ある表示装置の消費電力特性を表で示したものである。
【図１５】図１４に示した消費電力特性をグラフで示したものである。
【発明を実施するための形態】
【００１２】
本発明に係る実施形態について、図面を参照して以下に説明する。
【００１３】
（実施形態１）
まず、図１および図２を参照して、本発明に係る実施形態１について説明する。
【００１４】
（表示装置の構成）
はじめに、図１を参照して、実施形態１に係る表示装置１の構成例について説明する。図１は、実施形態１に係る表示装置１の全体構成を示す図である。図１に示すように、表示装置１は、表示パネル２、走査線駆動回路４、信号線駆動回路６、共通電極駆動回路８、タイミングコントローラ１０、および電源生成回路１２を備えている。
【００１５】
本実施形態では、表示装置１としてアクティブマトリクス型の液晶表示装置を採用している。したがって、本実施形態の表示パネル２は、アクティブマトリクス型の液晶表示パネルであり、上記したその他の構成要素は、この液晶表示パネルを駆動するためのものである。
【００１６】
（表示パネル）
表示パネル２は、複数の画素、複数のゲート信号ラインＧ、および複数のソース信号ラインＳを備えている。
【００１７】
複数の画素は、複数の画素列および複数の画素行からなる、いわゆる格子状に配設されている。
【００１８】
複数のゲート信号ラインＧは、画素列方向（画素列に沿った方向）に並設されている。複数のゲート信号ラインＧの各々は、複数の画素行のうちの対応する画素行の各々の画素に対して電気的に接続されている。
【００１９】
複数のソース信号ラインＳは、画素行方向（画素行に沿った方向）に並設されており、いずれも複数のゲート信号ラインＧの各々と直交している。複数のソース信号ラインＳの各々は、複数の画素列のうちの対応する画素列の各々の画素に対して電気的に接続されている。
【００２０】
図１に示す例では、表示パネル２には、Ｎ列×Ｍ行に配設された複数の画素が設けられていることに応じて、Ｎ本のソース信号ラインＳ、およびＭ本のゲート信号ラインＧが設けられている。
【００２１】
（走査線駆動回路）
走査線駆動回路４は、複数のゲート信号ラインＧを順次選択して走査する。具体的には、走査線駆動回路４は、複数のゲート信号ラインＧを順次選択し、選択したゲート信号ラインＧに対して、当該ゲート信号ラインＧ上の各画素に備えられたスイッチング素子（ＴＦＴ）をオンに切り替えるためのオン電圧を供給する。
【００２２】
（信号線駆動回路）
信号線駆動回路６は、ゲート信号ラインＧが選択されている間、そのゲート信号ラインＧ上の各画素に対して、対応するソース信号ラインＳから、画像データに応じたソース信号を供給する。具体的に説明すると、信号線駆動回路６は、入力された映像信号に基づいて、選択されたゲート信号ラインＧ上の各画素に出力すべき電圧の値を算出し、その値の電圧をソース出力アンプから各ソース信号ラインＳに向けて出力する。その結果、選択されたゲート信号ラインＧ上の各画素に対してソース信号が供給され、ソース信号が書き込まれることとなる。
【００２３】
（共通電極駆動回路）
共通電極駆動回路８は、複数の画素の各々に設けられている共通電極に対し、当該共通電極を駆動するための所定の共通電圧を供給する。
【００２４】
（タイミングコントローラ）
タイミングコントローラ１０には、外部（図１に示す例では、システム側コントロール部３０）から映像信号が入力される。ここでいう映像信号とは、クロック信号、同期信号、画像データ信号を含んでいる。そして、図１において実線矢印で示されているように、タイミングコントローラ１０は、各駆動回路が同期して動作するための各種制御信号を各駆動回路に対して出力する。
【００２５】
例えば、タイミングコントローラ１０は、走査線駆動回路４に対して、ゲートスタートパルス信号、ゲートクロック信号ＧＣＫ、およびゲート出力制御信号ＧＯＥを供給する。走査線駆動回路４は、ゲートスタートパルス信号を受け取ると、複数のゲート信号ラインＧの走査を開始する。そして、走査線駆動回路４は、ゲートクロック信号ＧＣＫおよびゲート出力制御信号ＧＯＥに従って、各ゲート信号ラインＧに対して、順次オン電圧を供給していく。
【００２６】
また、タイミングコントローラ１０は、信号線駆動回路６に対して、ソーススタートパルス信号、ソースラッチストローブ信号、およびソースクロック信号を出力する。信号線駆動回路６は、ソーススタートパルス信号に基づいて、入力された各画素の画像データをソースクロック信号に従ってレジスタに蓄え、次のソースラッチストローブ信号に従って、各ソース信号ラインＳに対し、画像データに応じたソース信号を供給する。
【００２７】
（電源生成回路）
電源生成回路１２は、外部（図１に示す例では、システム側コントロール部３０）から供給された入力電源から、走査線駆動回路４、信号線駆動回路６、および共通電極駆動回路８が必要とする電圧の各々を生成する。そして、図１において点線矢印で示されているように、電源生成回路１２は、走査線駆動回路４、信号線駆動回路６、および共通電極駆動回路８の各々に対して、生成した電圧を供給する。
【００２８】
（表示装置のさらなる機能）
ここで、本実施形態の表示装置１は、リフレッシュレート変更部１５および極性反転制御部２０をさらに備えている。例えば、図１に示す例では、表示装置１には、タイミングコントローラ１０の１つの機能として、リフレッシュレート変更部１５および極性反転制御部２０が設けられている。
【００２９】
（リフレッシュレート変更部１５）
リフレッシュレート変更部１５は、表示パネル２のリフレッシュレートを変更する。リフレッシュレートとは、表示パネル２の表示を書き換える頻度を示すものである。例えば、リフレッシュレートが「６０Ｈｚ」の場合は、１秒間に６０回表示パネル２の表示を書き換え（すなわち、１秒間に６０フレームを表示し）、リフレッシュレートが「１２０Ｈｚ」の場合は、１秒間に１２０回表示パネル２の表示を書き換える（すなわち、１秒間に１２０フレームを表示する）ということである。
【００３０】
一般的に、表示パネルにおいては、リフレッシュレートが高くなるほど、表示画質が良くなる一方、書き換えの頻度が高くなるために、消費電力が高くなる。したがって、例えば、動画を表示する場合や、高画質モードが選択された場合等、表示画質を優先する場合には、リフレッシュレートが高く設定され、静止画を表示する場合や、低消費電力モードが選択された場合等、低消費電力を優先する場合には、リフレッシュレートが低く設定される場合がある。
【００３１】
したがって、リフレッシュレート変更部１５が、リフレッシュレートを変更するタイミングや、どのリフレッシュレートへ変更するかは、例えば、外部（例えば、システムコントロール部３０）によって決定され、この外部からの制御信号によって指示される。
【００３２】
例えば、外部は、ある表示期間終了後の垂直帰線期間に、次の表示期間からリフレッシュレートを変更する旨の制御信号を、表示装置１に対して送信する。これにより、表示装置１は、遅滞なく、変更後のリフレッシュレートによる、当該次の表示期間の表示を開始することができる。
【００３３】
表示パネル２のリフレッシュレートが変更されると、表示装置１の各部は、タイミングコントローラ１０からの各種制御信号に従って、変更後のリフレッシュレートで表示パネル２が表示動作をおこなうように、表示パネル２を駆動することとなる。
【００３４】
当然、表示装置１は、動画等の複数のフレームからなる映像を表示する場合、変更後のリフレッシュレートに応じた数のフレームを表示することになる。
【００３５】
表示装置１は、フレームメモリを備えている場合、フレームメモリに格納されている複数のフレームの中から、変更後のリフレッシュレートに応じた数のフレームを抽出して、これを表示すればよい。
【００３６】
例えば、表示装置１は、６０フレームからなる映像を、リフレッシュレート「３０Ｈｚ」で表示する場合、この６０フレームの中から３０フレームを抽出し、これを表示すればよい。
【００３７】
一方、表示装置１がフレームメモリを備えていない場合、例えば、表示装置１は、その都度外部から送信されてくるフレームを、変更後のリフレッシュレートに応じて取捨選択し、これを表示すればよい。
【００３８】
または、このような制御を表示装置１が行わなくてもすむように、リフレッシュレートが変更されたタイミングで、外部から、変更後のリフレッシュレートに応じた数のフレームを送信するようにしてもよい。すなわち、外部は、表示装置１へ送信する映像信号のクロック周波数を変更後のリフレッシュレートに合わせて変更するようにしてもよい。
【００３９】
（極性反転制御部２０）
極性反転制御部２０は、このような表示パネル２のリフレッシュレートの変更に応じて、表示パネル２上における、複数の画素の各々に書き込まれるソース信号の極性反転の時間的周期および／または空間的周期を変更する。
【００４０】
既に説明したとおり、複数の画素の各々に対するソース信号の書き込みは、信号線駆動回路６によっておこなわれる。この信号線駆動回路６は、複数の画素の各々に対し、ソース信号の極性を反転させつつ、ソース信号を供給することが可能となっている。
【００４１】
信号線駆動回路６によるソース信号の極性反転方式は様々である。例えば、信号線駆動回路６によるソース信号の極性反転方式には、ソース信号の極性反転の時間的周期が異なる、複数の極性反転方式が含まれる。また、信号線駆動回路６によるソース信号の極性反転方式には、ソース信号の極性反転の空間的周期が異なる、複数の極性反転方式が含まれる。
【００４２】
極性反転制御部２０は、表示パネル２のリフレッシュレートの変更に応じて、信号線駆動回路６による極性反転方式を、上記した複数の極性反転方式のいずれかへ変更する。これにより、極性反転制御部２０は、表示パネル２上における、複数の画素の各々に書き込まれるソース信号の極性反転の時間的周期および／または空間的周期を変更することができるのである。
【００４３】
「ソース信号の極性反転の時間的周期」とは、表示パネル２において、何フレーム単位で、この表示パネル２に設けられた複数の画素の各々の極性を反転させるかを示すものである。
【００４４】
例えば、この時間的周期を「２フレーム毎」とした場合には、表示パネル２の各々の画素は、“＋，＋，−，−，＋，＋，−，−，・・・”というように、２フレーム毎に、正極のソース信号が書き込まれた状態と、負極のソース信号が書き込まれた状態とが切り替わることとなる。
【００４５】
一方、「ソース信号の極性反転の空間的周期」とは、表示パネル２の平面上のある方向において、何画素単位で、画素の極性を反転させるかを示すものである。
【００４６】
例えば、この空間的周期を「２画素毎」とした場合には、表示パネル２の平面上のある方向において、画素の配置は、“＋，＋，−，−，＋，＋，−，−，・・・”というように、２画素毎にソース信号の極性が反転したものとなる。
【００４７】
極性反転制御部２０による、変更後の時間的周期および／または空間的周期を決定する方法としては、様々な方法が考え得るが、どのような方法を採用してもよい。
【００４８】
例えば、極性反転制御部２０は、リフレッシュレートと、時間的周期および／または空間的周期とが予め対応付けられている参照テーブルを有してもよい。この場合、極性反転制御部２０は、この参照テーブルを参照することにより、変更後のリフレッシュレートに応じて、変更後の時間的周期および／または空間的周期を決定することができる。
【００４９】
また、極性反転制御部２０は、リフレッシュレートから、時間的周期および／または空間的周期を算出する算出ロジックを有してもよい。この場合、極性反転制御部２０は、外部から指示された変更後のリフレッシュレートに応じて、変更後の時間的周期および／または空間的周期を算出することができる。
【００５０】
また、極性反転制御部２０は、リフレッシュレートの変更率に応じて、変更後の時間的周期および／または空間的周期を算出する算出ロジックを有してもよい。この場合、極性反転制御部２０は、リフレッシュレート変更率に応じて、変更後の時間的周期および／または空間的周期を算出するようにしてもよい。
【００５１】
なお、変更後の時間的周期および／または空間的周期は、外部（例えば、システムコントロール部３０）によって決定され、この外部から極性反転制御部２０に対して、制御信号によって指示されてもよい。
【００５２】
（極性反転方式の一例）
ここで、図２を参照して、本実施形態に係る極性反転制御部２０による極性反転方式の変更例について説明する。図２は、実施形態１に係る極性反転制御部２０による極性反転方式の変更例を示す概念図である。
【００５３】
本実施形態に係る極性反転制御部２０は、“表示パネル２のリフレッシュレートが変更された場合、ソース信号の極性反転の空間的周期を変更する”といった極性反転制御をおこなうことが可能である。
【００５４】
例えば、極性反転制御部２０は、“表示パネル２のリフレッシュレートが低下した場合、ソース信号の極性反転の空間的周期を短くする”といった極性反転制御をおこなうことが可能である。
【００５５】
また、極性反転制御部２０は、“表示パネル２のリフレッシュレートが増大した場合、ソース信号の極性反転の空間的周期を長くする”といった極性反転制御をおこなうことが可能である。
【００５６】
図２に示す例では、まず、表示パネル２のリフレッシュレートが「６０Ｈｚ」に設定されている。これに応じて、極性反転方式が「２ドット反転」に設定されている。この「２ドット反転」とは、ソース信号の極性反転の空間的周期を２画素毎とする極性反転方式であり、「２Ｈドット反転」とも呼ばれる。
【００５７】
その後、タイミングｔ１において、表示パネル２のリフレッシュレートが「６０Ｈｚ」から「３０Ｈｚ」に下げられている。すなわち、表示パネル２のリフレッシュレートが「３５Ｈｚ」よりも低いものに下げられている。これに応じて、タイミングｔ１では、極性反転制御部２０により、極性反転方式が「２ドット反転」から「１ドット反転」に変更されている。この極性反転方式「１ドット反転」とは、ソース信号の極性反転の空間的周期を１画素毎とする極性反転方式である。すなわち、タイミングｔ１では、リフレッシュレートが低下したことに応じて、ソース信号の極性反転の空間的周期が短くされたことになる。
【００５８】
さらに、タイミングｔ２において、表示パネル２のリフレッシュレートが「３０Ｈｚ」から「１２０Ｈｚ」に上げられている。すなわち、表示パネル２のリフレッシュレートが「６５Ｈｚ」よりも高いものに上げられている。これに応じて、タイミングｔ２では、極性反転制御部２０により、極性反転方式が「１ドット反転」から「ソース反転」に変更されている。この極性反転方式「ソース反転」とは、ソース信号の極性反転の空間的周期を１画素列毎とする極性反転方式である。すなわち、タイミングｔ２では、リフレッシュレートが増大したことに応じて、ソース信号の極性反転の空間的周期が長くされたことになる。
【００５９】
（実施形態２）
続いて、図３を参照して、本発明に係る実施形態２について説明する。実施形態２で説明する表示装置１のうち、以下に説明する点以外の点については、これまでに説明した表示装置１と同様であるため、説明を省略する。以下、これまでに説明した表示装置１との相違点について説明する。
【００６０】
（極性反転方式の他の一例）
ここでは、実施形態２に係る極性反転制御部２０による極性反転方式の変更例について説明する。図３は、実施形態２に係る極性反転制御部２０による極性反転方式の変更例を示す概念図である。
【００６１】
本実施形態に係る極性反転制御部２０は、“表示パネル２のリフレッシュレートが変更された場合、ソース信号の極性反転の時間的周期を変更する”といった極性反転制御をおこなうことが可能である。
【００６２】
例えば、極性反転制御部２０は、“表示パネル２のリフレッシュレートが低下した場合、ソース信号の極性反転の時間的周期を短くする”といった極性反転制御をおこなうことが可能である。
【００６３】
また、極性反転制御部２０は、“表示パネル２のリフレッシュレートが増大した場合、ソース信号の極性反転の時間的周期を長くする”といった極性反転制御をおこなうことが可能である。
【００６４】
図３に示す例では、まず、表示パネル２のリフレッシュレートが「６０Ｈｚ」に設定されている。これに応じて、極性反転方式が「２フレーム毎反転」に設定されている。この「２フレーム毎反転」とは、ソース信号の極性反転の時間的周期を２フレーム毎とする極性反転方式である。
【００６５】
その後、タイミングｔ１において、表示パネル２のリフレッシュレートが「６０Ｈｚ」から「３０Ｈｚ」に下げられている。すなわち、表示パネル２のリフレッシュレートが「３５Ｈｚ」よりも低いものに下げられている。これに応じて、タイミングｔ１では、極性反転制御部２０により、極性反転方式が「２フレーム毎反転」から「１フレーム毎反転」に変更されている。この「１フレーム毎反転」とは、ソース信号の極性反転の時間的周期を１フレーム毎とする極性反転方式である。すなわち、タイミングｔ１では、リフレッシュレートが低下したことに応じて、ソース信号の極性反転の時間的周期が短くされたことになる。
【００６６】
ここでいう“時間的周期が短くされる“とは、極性反転の単位フレーム数が少なくなる、という相対的なものを意味しており、極性反転の実行タイミングが早くなる、という絶対的なものを意味するものではない。
【００６７】
さらに、タイミングｔ２において、表示パネル２のリフレッシュレートが「３０Ｈｚ」から「１２０Ｈｚ」に上げられている。すなわち、表示パネル２のリフレッシュレートが「６５Ｈｚ」よりも高いものに上げられている。これに応じて、タイミングｔ２では、極性反転制御部２０により、極性反転方式が「１フレーム毎反転」から「４フレーム毎反転」に変更されている。この「４フレーム毎反転」とは、ソース信号の極性反転の時間的周期を４フレーム毎とする極性反転方式である。したがって、タイミングｔ２では、リフレッシュレートが増大したことに応じて、ソース信号の極性反転の時間的周期が長くされたことになる。
【００６８】
ここでいう“時間的周期が長くされる“とは、極性反転の単位フレーム数が多くなる、という相対的なものを意味しており、極性反転の実行タイミングが遅くなる、という絶対的なものを意味するものではない。
【００６９】
以下、図４〜７を参照して、極性反転方式について具体的に説明する。ここでは、表示パネル２に設けられた一部の画素である、６画素列×４画素行に配設された複数の画素を用いて、各極性反転方式について説明する。
【００７０】
図４は、極性反転方式「２ドット反転」によりソース信号が書き込まれた状態の表示パネル２を示す図である。図５は、極性反転方式「１ドット反転」によりソース信号が書き込まれた状態の表示パネル２を示す図である。図６および図７は、極性反転方式「ソース反転」によりソース信号が書き込まれた状態の表示パネル２を示す図である。
【００７１】
図４〜７において、「＋」が示されている画素は、その画素に対して正極のソース信号が書き込まれている状態を示し、「−」が示されている画素は、その画素に対して負極のソース信号が書き込まれている状態を示す。また、図４〜７のいずれにおいても、（ａ）と（ｂ）とでは、複数の画素の各々のソース信号の極性が反転している点で異なる。
【００７２】
（極性反転の空間的周期）
図４に示すように、極性反転方式「２ドット反転」によると、各画素列における画素の配置は、“＋，＋，−，−”、または“−，−，＋，＋”というように、２画素毎にソース信号の極性が反転したものとなる。
【００７３】
一方、図５に示すように、極性反転方式「１ドット反転」によると各画素列における画素の配置は、“＋，−，＋，−”、または“−，＋，−，＋”というように、１画素毎にソース信号の極性が反転したものとなる。
【００７４】
さらに、図６に示すように、極性反転方式「ソース反転」によると、各画素列における画素の配置は、“＋，＋，＋，＋”、または“−，−，−，−”というように、全ての画素のソース信号の極性が同一となる。また、表示パネル２における画素列の配置は、“＋，−，＋，−”、または“−，＋，−，＋”というように、１画素列毎にソース信号の極性が反転したものとなる。
【００７５】
図７に示す表示パネル２は、図６に示す表示パネル２と同様に極性反転方式「ソース反転」によるものであるが、各ソース信号ラインＳに接続されている複数の画素の配置が図６に示す表示パネル２と異なる。具体的には、図６に示す表示パネル２は、同一のソース信号ラインＳに接続されている複数の画素が、同一の画素列上に並べて配置されているのに対し、図７に示す表示パネル２は、同一のソース信号ラインＳに接続されている複数の画素が、ソース信号ラインＳを挟んで左右に設けられている２つの画素列に交互に並べて配置されている。
【００７６】
これにより、図７に示す表示パネル２は、極性反転方式「ソース反転」を採用しつつも、極性反転方式「１ドット反転」のように、各画素列における画素の配置は、“＋，−，＋，−”、または“−，＋，−，＋”というように、１画素毎にソース信号の極性が反転したものとなる。
【００７７】
このように、表示装置１が適用する極性反転方式には、ソース信号の極性反転の空間的周期が異なる複数の極性反転方式を含んでおり、いずれの極性反転方式を適用するかは、極性反転制御部２０の制御により、表示パネル２にのリフレッシュレートの変更に応じて決定される。
【００７８】
（極性反転の時間的周期）
図４に示す極性反転方式「２ドット反転」、図５に示す極性反転方式「１ドット反転」、および図６，７に示す極性反転方式「ソース反転」のいずれの場合も、表示パネル２は、（ａ）に示した状態と、（ｂ）に示した状態とが、ある時間的周期で切り替わることとなる。すなわち、表示パネル２においては、複数の画素の各々の極性が、ある時間的周期で切り替わることとなる。
【００７９】
例えば、極性反転制御部２０によって極性反転方式「１フレーム毎反転」が設定されると、表示パネル２の各々の画素は、“＋，−，＋，−，＋，−，＋，−，・・・”というように、１フレーム毎に、正極のソース信号が書き込まれた状態と、負極のソース信号が書き込まれた状態とが切り替わることとなる。
【００８０】
また、極性反転制御部２０によって極性反転方式「２フレーム毎反転」が設定されると、表示パネル２の各々の画素は、“＋，＋，−，−，＋，＋，−，−，・・・”というように、２フレーム毎に、正極のソース信号が書き込まれた状態と、負極のソース信号が書き込まれた状態とが切り替わることとなる。
【００８１】
また、極性反転制御部２０によって極性反転方式「４フレーム毎反転」が設定されると、表示パネル２は、“＋，＋，＋，＋，−，−，−，−，・・・”というように、４フレーム毎に、正極のソース信号が書き込まれた状態と、負極のソース信号が書き込まれた状態とが切り替わることとなる。
【００８２】
このように、表示装置１が適用する極性反転方式には、ソース信号の極性反転の時間的周期が異なる複数の極性反転方式を含んでおり、いずれの極性反転方式を適用するかは、極性反転制御部２０の制御により、表示パネル２のリフレッシュレートの変更に応じて決定される。
【００８３】
（効果）
上述したとおり、実施形態１および２に係る表示装置１は、表示パネル２のリフレッシュレートの変更に応じて、ソース信号の極性反転の時間的周期または空間的周期を変更する構成を採用している。
【００８４】
特に、実施形態１および２に係る表示装置１は、リフレッシュレートが低下した場合、ソース信号の極性反転の時間的周期または空間的周期を短くし、リフレッシュレートが増大した場合、ソース信号の極性反転の時間的周期または空間的周期を長くする構成を採用している。
【００８５】
これにより、実施形態１および２に係る表示装置１は、リフレッシュレートが低下したことにより、表示画質が低下することとなった場合であっても、ソース信号の極性反転の時間的周期または空間的周期を短くすることにより、その表示画質の低下を抑制することができる。また、実施形態１および２に係る表示装置１は、リフレッシュレートが増大したことにより、消費電力が増加することとなった場合であっても、ソース信号の極性反転の時間的周期または空間的周期を長くすることにより、その増加を抑制することができる。
【００８６】
さらに、実施形態１および２に係る表示装置１は、リフレッシュレートが３５Ｈｚよりも低下した場合、およびリフレッシュレートが６５Ｈｚよりも増大した場合に、時間的周期または空間的周期を変更する構成を採用している。
【００８７】
これにより、実施形態１および２に係る表示装置１は、フリッカ等の表示不具合が生じ易くなる場合や、消費電力が増加しがちな場合など、より適切なタイミングで、時間的周期または空間的周期を変更することができる。
【００８８】
（実施形態３）
続いて、図８を参照して、本発明に係る実施形態３について説明する。実施形態３で説明する表示装置１のうち、以下に説明する点以外の点については、これまでに説明した表示装置１と同様であるため、説明を省略する。以下、これまでに説明した表示装置１との相違点について説明する。
【００８９】
（極性反転方式の一例）
ここでは、実施形態３に係る極性反転制御部２０による極性反転方式の変更例について説明する。図８は、実施形態３に係る極性反転制御部２０による極性反転方式の他の変更例を示す概念図である。
【００９０】
本実施形態に係る極性反転制御部２０は、“表示パネル２のリフレッシュレートが低下した場合、ソース信号の極性反転の空間的周期を徐々に短くする”といった極性反転制御をおこなうことが可能である。
【００９１】
図８に示す例では、まず、表示パネル２のリフレッシュレートが「６０Ｈｚ」に設定されている。これに応じて、極性反転方式が「ソース反転」に設定されている。
【００９２】
その後、タイミングｔ１において、表示パネル２のリフレッシュレートが「６０Ｈｚ」から「３０Ｈｚ」に下げられている。これに応じて、タイミングｔ１では、極性反転制御部２０により、極性反転方式が「ソース反転」から「８ドット反転」に変更されている。
【００９３】
そして、タイミングｔ２では、表示パネル２のリフレッシュレートを「３０Ｈｚ」としたまま、極性反転制御部２０により、極性反転方式が「８ドット反転」から「２ドット反転」に変更されている。
【００９４】
さらに、タイミングｔ３では、表示パネル２のリフレッシュレートを「３０Ｈｚ」としたまま、極性反転制御部２０により、極性反転方式が「２ドット反転」から「１ドット反転」に変更されている。
【００９５】
すなわち、この例では、極性反転制御部２０は、表示パネル２のリフレッシュレートが「６０Ｈｚ」から「３０Ｈｚ」に低下したことに応じて、ソース信号の極性反転の空間的周期を、１画素列から１画素へと直接的に短くしているのではなく、１画素列から、８画素、２画素、１画素へと、徐々に（すなわち、段階的に）短くしているのである。
【００９６】
特に例示はしないが、実施形態３の極性反転制御部２０は、“表示パネル２のリフレッシュレートが増大した場合、ソース信号の極性反転の空間的周期を徐々に長くする”といった極性反転制御をおこなうことも可能である。
【００９７】
（実施形態４）
続いて、図９を参照して、本発明に係る実施形態４について説明する。実施形態４で説明する表示装置１のうち、以下に説明する点以外の点については、これまでに説明した表示装置１と同様であるため、説明を省略する。以下、これまでに説明した表示装置１との相違点について説明する。
【００９８】
（極性反転方式の一例）
ここでは、実施形態４に係る極性反転制御部２０による極性反転方式の変更例について説明する。図９は、実施形態４に係る極性反転制御部２０による極性反転方式の変更例を示す概念図である。
【００９９】
本実施形態に係る極性反転制御部２０は、“表示パネル２のリフレッシュレートが増大した場合、ソース信号の極性反転の時間的周期を徐々に長くする”といった極性反転制御をおこなうことが可能である。
【０１００】
図９に示す例では、まず、表示パネル２のリフレッシュレートが「６０Ｈｚ」に設定されている。これに応じて、極性反転方式が「１フレーム毎反転」に設定されている。
【０１０１】
その後、タイミングｔ１において、表示パネル２のリフレッシュレートが「６０Ｈｚ」から「１８０Ｈｚ」に上げられている。これに応じて、タイミングｔ１では、極性反転制御部２０により、極性反転方式が「１フレーム毎反転」から「２フレーム毎反転」に変更されている。
【０１０２】
そして、タイミングｔ２では、表示パネル２のリフレッシュレートを「１８０Ｈｚ」としたまま、極性反転制御部２０により、極性反転方式が「２フレーム毎反転」から「３フレーム毎反転」に変更されている。
【０１０３】
すなわち、この例では、極性反転制御部２０は、表示パネル２のリフレッシュレートが「６０Ｈｚ」から「１８０Ｈｚ」に増大したことに応じて、ソース信号の極性反転の時間的周期を、１フレーム毎から３フレーム毎へと直接的に長くしているのではなく、１フレーム毎から、２フレーム毎、３フレーム毎へと、徐々に長くしているのである。
【０１０４】
特に例示はしないが、実施形態４の極性反転制御部２０は、“表示パネル２のリフレッシュレートが低下した場合、ソース信号の極性反転の時間的周期を徐々に短くする”といった極性反転制御をおこなうことも可能である。
【０１０５】
（効果）
上記したとおり、実施形態３、４に係る表示装置１は、表示パネル２のリフレッシュレートの変更に応じて、ソース信号の極性反転の時間的周期または空間的周期を徐々に変更する構成を採用している。これにより、実施形態３、４に係る表示装置１は、時間的周期または空間的周期を変更する際の、ユーザに与える見た目の違和感を抑制することができる。
【０１０６】
なお、上記のように、ソース信号の極性反転の時間的周期または空間的周期を徐々に変更する構成を採用する場合、変更途中の時間的周期または空間的周期が適用されている期間は、そのフレーム数を偶数とすることが好ましい。
【０１０７】
例えば、図８に示す例では、変更途中の空間的周期として「８画素毎」が適用されている期間ｔ１〜ｔ２、および変更途中の空間的周期として「２画素毎」が適用されている期間ｔ２〜ｔ３の各々は、そのフレーム数を偶数とすることが好ましい。
【０１０８】
また、図９に示す例では、変更途中の時間的周期として「２フレーム毎」が適用されている、期間ｔ１〜ｔ２は、そのフレーム数を偶数とすることが好ましい。
【０１０９】
これにより、例えば、上記変更途中の期間において、１フレーム毎の時間的周期でソース信号の極性を反転させる方式を採用している場合には、当該期間のフレーム数を２の倍数（すなわち、偶数）とすることにより、複数の画素の各々に対して、正極のソース信号と、負極のソース信号とを同じ回数ずつ書き込むことができる。
【０１１０】
また、例えば、上記変更途中の期間において、２フレーム毎の時間的周期でソース信号の極性を反転させる方式を採用している場合には、当該期間のフレーム数を４の倍数（すなわち、偶数）とすることにより、複数の画素の各々に対して、正極のソース信号と、負極のソース信号とを同じ回数ずつ書き込むことができる。
【０１１１】
すなわち、上記変更途中の期間のフレーム数を偶数とすることにより、複数の画素の各々に対して、その画素に書き込まれるソース信号の極性の偏りをなくすことができる。
【０１１２】
（実施形態５）
次に、図１０を参照して、本発明に係る実施形態５について説明する。実施形態５で説明する表示装置１のうち、以下に説明する点以外の点については、これまでに説明した表示装置１と同様であるため、説明を省略する。以下、これまでに説明した表示装置１との相違点について説明する。
【０１１３】
（リフレッシュレートの変更例）
ここでは、実施形態５に係るリフレッシュレート変更部１５によるリフレッシュレートの変更例について説明する。図１０は、実施形態５に係るリフレッシュレート変更部１５によるリフレッシュレートの変更例を示す概念図である。
【０１１４】
既に説明したとおり、本実施形態に係るリフレッシュレート変更部１５は、表示パネル２のリフレッシュレートを、３０Ｈｚ、６０Ｈｚ、１２０Ｈｚ、１８０Ｈｚ等に変更することができる。
【０１１５】
本実施形態に係るリフレッシュレート変更部１５は、さらに、表示パネル２のリフレッシュレート下げる場合、休止期間を設けることにより、リフレッシュレートを下げることが可能である。
【０１１６】
図１０に示す例では、まず、表示パネル２のリフレッシュレートが、通常駆動用のリフレッシュレートである「６０Ｈｚ」に設定されている。これに応じて、極性反転方式が「２ドット反転」に設定されている。
【０１１７】
その後、タイミングｔ１において、表示パネル２のリフレッシュレートが、「６０Ｈｚ」から、「１Ｈｚ」に下げられている。これに応じて、タイミングｔ２では、極性反転制御部２０により、極性反転方式が「２ドット反転」から「１ドット反転」に変更されている。
【０１１８】
そして、タイミングｔ２では、表示パネル２のリフレッシュレートが、「１Ｈｚ」から、「６０Ｈｚ」に上げられている。これに応じて、タイミングｔ２では、極性反転制御部２０により、極性反転方式が「１ドット反転」から「ソース反転」に変更されている。
【０１１９】
上記においては、特に、表示パネル２を駆動しない休止期間が設けられたことにより、表示パネル２のリフレッシュレートが、「６０Ｈｚ」から「１Ｈｚ」に下げられている。
【０１２０】
具体的には、１秒間のうち、画像データを書き込む期間を「１フレーム」分（すなわち、６０分の１秒）設け、画像データの書き込みをおこなわない休止期間を「５９フレーム」分（すなわち、６０分の５９秒）設けることにより、表示パネル２のリフレッシュレートを「１Ｈｚ」としている。
【０１２１】
本実施形態に係る表示装置１は、同様の方法により、リフレッシュレートを「１Ｈｚ」以外のものへ変更することもできる。例えば、表示パネル２のリフレッシュレートを、「６０Ｈｚ」から「３０Ｈｚ」に下げるのであれば、例えば、１秒間のうち、画像データを書き込む期間を「３０フレーム」分（すなわち、６０分の３０秒）設け、画像データの書き込みをおこなわない休止期間を「３０フレーム」分（すなわち、６０分の３０秒）設けることにより、表示パネル２のリフレッシュレートを「３０Ｈｚ」とすることができる。
【０１２２】
このように、本実施形態に係る表示装置１は、画像データの書き込みをおこなわない休止期間を設けることによって、リフレッシュレートを下げることができる。これにより、本実施形態に係る表示装置１は、休止期間を設けずにリフレッシュレートを下げるよりも、消費電力をより低減することができる。
【０１２３】
特に、本実施形態に係る表示装置１は、後述するように、各画素に対してオフ特性が非常に優れている酸化物半導体を用いたＴＦＴを採用しており、各画素に画像データが書き込まれている状態を長時間維持することができるので、このような方法によりリフレッシュレートを下げた場合であっても、高い表示画質を維持することが可能となっている。
【０１２４】
（画素の構成）
表示パネル２が備える画素の構成について説明する。図１１は、表示パネル２が備える画素の構成を示す図である。図２では、表示パネル２が備える複数の画素のうち、２つの画素（画素（ｎ，ｍ）および画素（ｎ＋１，ｍ））の構成を示している。画素（ｎ，ｍ）は、ソース信号ラインＳ（ｎ）およびゲート信号ラインＧ（ｍ）に接続された画素を示す。画素（ｎ＋１，ｍ）は、ソース信号ラインＳ（ｎ＋１）およびゲート信号ラインＧ（ｍ）に接続された画素を示す。なお、表示パネル２が備えるその他の画素についても、これらの画素と同様の構成である。
【０１２５】
図２に示すように、画素は、スイッチング素子としてのＴＦＴ２００を備えている。ＴＦＴ２００のゲート電極は、対応するゲート信号ラインＧに接続されている。また、ＴＦＴ２００のソース電極は、対応するソース信号ラインＳに接続されている。そして、ＴＦＴ２００のドレイン電極は、液晶容量Ｃｌｃおよび保持容量Ｃｃｓに接続されている。
【０１２６】
この画素に対して画素データが書き込まれる際には、まず、ＴＦＴ２００のゲート電極に対して、ゲート信号ラインＧからオン電圧が供給される。これにより、ＴＦＴ２００はオン状態に切り替えられる。
【０１２７】
そして、ＴＦＴ２００がオン状態のときに、対応するソース信号ラインＳから、ソース信号が供給されると、このソース信号は、ＴＦＴ２００のドレイン電極から、液晶容量Ｃｌｃの画素電極および保持容量Ｃｃｓへ供給される。
【０１２８】
このように、液晶容量Ｃｌｃの画素電極へソース信号が供給されることにより、当該画素においては、液晶容量Ｃｌｃの画素電極と共通電極との間に封入されている液晶の配列方向が、供給されたソース信号の電圧レベルと共通電極に供給された電圧レベルの差分に応じて変化し、この差分に応じた画像が表示されることとなる。
【０１２９】
また、保持容量Ｃｃｓへソース信号が供給されることにより、保持容量Ｃｃｓにはこのソース信号の電圧に応じた電荷が蓄えられる。そして、保持容量Ｃｃｓに蓄えられた電荷により、当該画素は、ある程度の期間、画像を表示した状態を維持することができる。
【０１３０】
実施形態１の表示装置１においては、ＴＦＴ２００として、いわゆる酸化物半導体を用いたＴＦＴを採用しており、特に、表示装置１は、上記酸化物半導体として、インジウム（Ｉｎ）、ガリウム（Ｇａ）、および亜鉛（Ｚｎ）から構成される酸化物である、いわゆるＩＧＺＯ（ＩｎＧａＺｎＯｘ）が用いられているＴＦＴを採用している。
【０１３１】
（ＴＦＴ特性）
図１２は、各種ＴＦＴの特性を示す。この図１２では、酸化物半導体を用いたＴＦＴ、ａ−Ｓｉ（amorphous silicon）を用いたＴＦＴ、およびＬＴＰＳ（Low Temperature Poly Silicon）を用いたＴＦＴの各々の特性を示す。
【０１３２】
図１２において、横軸（Ｖｇｈ）は、上記各ＴＦＴにおいてゲートに供給されるオン電圧の電圧値を示し、縦軸（Ｉｄ）は、上記各ＴＦＴにおけるソース−ドレイン間の電流量を示す。
【０１３３】
特に、図中において「ＴＦＴ−ｏｎ」と示されている期間は、オン電圧の電圧値に応じてオン状態となっている期間を示し、図中において「ＴＦＴ−ｏｆｆ」と示されている期間は、オン電圧の電圧値に応じてオフ状態となっている期間を示す。
【０１３４】
図１２に示すように、酸化物半導体を用いたＴＦＴは、ａ−Ｓｉを用いたＴＦＴよりも、オン状態の時の電子移動度が高い。
【０１３５】
図示は省略するが、具体的には、ａ−Ｓｉを用いたＴＦＴは、そのＴＦＴ−ｏｎ時のＩｄ電流が１ｕＡであるのに対し、、酸化物半導体を用いたＴＦＴは、そのＴＦＴ−ｏｎ時のＩｄ電流が２０〜５０ｕＡ程度である。
【０１３６】
このことから、酸化物半導体を用いたＴＦＴは、ａ−Ｓｉを用いたＴＦＴよりも、オン状態の時の電子移動度が２０〜５０倍程度高く、オン特性が非常に優れていることが分かる。
【０１３７】
既に説明したとおり、本実施形態の表示装置１は、このような酸化物半導体を用いたＴＦＴを各画素に採用している。
【０１３８】
これにより、本実施形態の表示装置１は、ＴＦＴのオン特性が優れているために、より小型のＴＦＴで画素を駆動することができるので、各画素において、ＴＦＴが占める面積の割り合いを小さくすることができる。すなわち、各画素における開口率を高め、バックライト光の透過率を高めることができる。その結果、消費電力が少ないバックライトを採用したり、バックライトの輝度を抑制したりすることができるので、消費電力を低減することができる。
【０１３９】
また、ＴＦＴのオン特性が優れているために、各画素に対するソース信号の書き込み時間をより短時間化することもできるので、表示パネル２のリフレッシュレートを容易に高くすることができる。
【０１４０】
また、図１２に示すように、酸化物半導体を用いたＴＦＴは、オフ状態のときのリーク電流が、ａ−Ｓｉを用いたＴＦＴよりも少ない。
【０１４１】
図示は省略するが、具体的には、ａ−Ｓｉを用いたＴＦＴは、そのＴＦＴ−ｏｆｆ時のＩｄ電流が１０ｐＡであるのに対し、酸化物半導体を用いたＴＦＴは、そのＴＦＴ−ｏｆｆ時のＩｄ電流が０．１ｐＡ程度である。
【０１４２】
このことから、酸化物半導体を用いたＴＦＴは、オフ状態のときのリーク電流が、ａ−Ｓｉを用いたＴＦＴの１００分の１程度であり、リーク電流が殆ど生じない、オフ特性が非常に優れたものであることが分かる。
【０１４３】
これにより、本実施形態の表示装置１は、ＴＦＴのオフ特性が優れているために、表示パネルの複数の画素の各々のソース信号が書き込まれている状態を長期間維持することができるので、表示パネル２のリフレッシュレートを容易に低くすることができるのである。
（フリッカの抑制効果）
図１３は、ある表示装置に対するフリッカの認識実験の実験結果を示す。発明者らは、ある表示装置において、表示パネルのリフレッシュレートおよびソース信号の極性反転の空間的周期を適宜手作業で設定変更しつつ、リフレッシュレートおよび空間的周期の複数の組み合わせの各々について、表示パネル上でフリッカを目視で認識できるかを実験した。
【０１４４】
この実験では、表示パネルの画像解像度が「１２８０×８００」であり、かつ各画素のＴＦＴとしてａ−ｓｉを用いたＴＦＴを採用している、１０．１型の液晶表示装置を実験対象として用いた。
【０１４５】
図１３に示すように、この実験結果によると、表示パネルのリフレッシュレートを「４０Ｈｚ」以上とした場合は、ソース信号の極性反転の空間的周期に関わらず、フリッカは全く認識されないことが判明した。
【０１４６】
一方、表示パネルのリフレッシュレートを「３５Ｈｚ」以下とした場合、フリッカが認識されるようになり、特に、リフレッシュレートが低いほど、フリッカの認識度が高くなることが判明した。
【０１４７】
また、表示パネルのリフレッシュレートを「３５Ｈｚ」以下とした場合、ソース信号の極性反転の空間的周期を短くするほど、フリッカの認識度を下げることができることが判明した。
【０１４８】
すなわち、この実験結果によると、リフレッシュレートを下げた場合、表示画質が低下するものの、ソース信号の極性反転の空間的周期を短くすることで、表示画質の低下を抑制できることが判明した。特に、リフレッシュレートを「３５Ｈｚ」以下の低周波数とした場合において、表示画質の低下を抑制する必要性が高いことが判明した。
【０１４９】
したがって、この実験結果により、“リフレッシュレートが低下したことに応じてソース信号の極性反転の空間的周期を短くする”という構成を採用している本実施形態の表示装置１は、リフレッシュレートを下げることにより、消費電力を低減しつつ、ソース信号の極性反転の空間的周期を短くすることにより、表示画質の低下を抑制できる表示装置であることが証明された。
【０１５０】
特に、“リフレッシュレートが３０Ｈｚよりも低いものに低下した場合、時間的周期または空間的周期を変更する”という構成を採用している本実施形態の表示装置１は、より適切なタイミングで上記変更をおこなうことができる表示装置であることが証明された。
（消費電力の削減効果）
図１４は、ある表示装置の消費電力特性を表で示したものである。図１５は、図１４に示した消費電力特性をグラフで示したものである。
【０１５１】
この消費電力特性は、各画素のＴＦＴとして酸化物半導体を用いたＴＦＴを採用している、１０．８型の液晶表示装置のものである。
【０１５２】
この消費電力特性によると、表示パネルのリフレッシュレートを下げるほど、消費電力を低減できることが分かる。
【０１５３】
また、この消費電力特性によると、リフレッシュレートに関わらず、極性反転方式を「２Ｈドット反転」から「ソース反転」へ変更することによっても、消費電力を低減できることが分かる。
【０１５４】
すなわち、この消費電力特性によると、表示パネルのリフレッシュレートを下げることによっても、極性反転方式を変更することによっても、消費電力を低減できることが分かる。
【０１５５】
ここで、上記表示装置において、極性反転方式として「ソース反転」が設定され、リフレッシュレートとして「６０Ｈｚ」が設定されているとする。この時、表示装置の消費電力は、「４１７．７８ｍＷ」である。
【０１５６】
そして、上記表示装置において、リフレッシュレートが「３０Ｈｚ」に低下したとする。この時、表示装置の消費電力は、「３０９．８７ｍＷ」となり、消費電力が「１０７．９１ｍＷ」低減したことになる。
【０１５７】
また、上記表示装置において、上記リフレッシュレートの変更に伴う表示画質の低下を抑制するため、さらに、極性反転方式を「ソース反転」から「２Ｈドット反転」へ変更したとする。この時、表示装置の消費電力は、「４１６．７９ｍＷ」となり、消費電力が「１０６．９２ｍＷ」増加したことになる。
【０１５８】
この消費電力の増加量は、上記リフレッシュレートの変更による消費電力の低減量よりも少ないため、結果的に、消費電力を低減しつつ、表示画質の低下を抑制したことになる。
【０１５９】
このことから、リフレッシュレートが低下したことによる表示画質の低下を抑制するために消費電力が増加することとなったとしても、その増加量が、リフレッシュレートが低下したことによる消費電力の低減量を超えないようにすることができることが分かる。
【０１６０】
したがって、“リフレッシュレートを下げることにより、消費電力を低減し、ソース信号の極性反転の空間的周期を短くすることによって、表示画質の低下を抑制する”という構成を採用している本実施形態の表示装置１は、消費電力を低減しつつ表示画質の低下を抑制することができる表示装置であることが証明された。
【０１６１】
なお、図１４および図１５から、リフレッシュレートを「６５Ｈｚ」以上の高周波数とした場合において、消費電力を低減する必要性が高いことが明らかである。
【０１６２】
したがって、“リフレッシュレートが６５Ｈｚよりも増大した場合、時間的周期または空間的周期を変更する”という構成を採用している本実施形態の表示装置１は、より適切なタイミングで上記変更をおこなうことができる表示装置であることが証明された。
【０１６３】
（補足説明）
以上、本発明の実施形態について説明したが、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１６４】
例えば、実施形態に示した、リフレッシュレート、ソース信号の極性反転の時間的周期、ソース信号の極性反転の空間的周期等の各設定値は、単なる例示にしか過ぎない。したがって、これらの設定値は、表示装置の特性等により、当然、適切な値に変更され得るものである。
【０１６５】
また、実施形態では、ソース信号の極性反転の空間的周期の設定単位として、画素列方向の画素単位、および画素列単位としたが、これに限らず、画素行方向の画素単位、画素行単位、画面単位（フレーム単位）、複数列×複数行の画素からなるブロック単位等であっても良い。
【０１６６】
また、実施形態では、酸化物半導体を用いたＴＦＴを各画素に採用している表示装置へ本発明を適用する例を説明したが、これに限らず、ａ−Ｓｉを用いたＴＦＴや、ＬＴＰＳを用いたＴＦＴ等の、他のＴＦＴを各画素に採用している表示装置にも、本発明を適用することができる。
【０１６７】
（まとめ）
以上のように、本実施形態に係る表示装置は、上述した課題を解決するため、複数のゲート信号ライン、当該複数のゲート信号ラインと交差するように配置された複数のソース信号ライン、および、当該複数のゲート信号ラインと当該複数のソース信号ラインとの交差部に対応して配置された複数の画素を有する表示パネルと、前記複数の画素の各々に対し、対応するソース信号ラインを介して、ソース信号を供給する信号線駆動回路と、前記表示パネルのリフレッシュレートを変更するリフレッシュレート変更手段と、前記リフレッシュレートの変更に応じて、前記ソース信号の極性反転の時間的周期および空間的周期の少なくともいずれか一方を変更する極性反転制御手段とを備えることを特徴とする。
【０１６８】
本表示装置によれば、リフレッシュレートの変更により、消費電力の低下とともに表示画質が低下することとなった場合であっても、ソース信号の反転周期を変更することで、表示画質の低下を抑制することができる。また、本表示装置によれば、リフレッシュレートの変更により、表示画質の向上とともに消費電力が増加することとなった場合であっても、ソース信号の反転周期を変更することで、消費電力の増加を抑制することができる。したがって、本表示装置によれば、消費電力を低減しつつ、表示画質の低下を抑制することができる。
【０１６９】
上記表示装置において、前記リフレッシュレートが低下した場合、前記極性反転制御手段は、前記空間的周期を短くすることが好ましい。
【０１７０】
この構成によれば、リフレッシュレートが低下したことにより、表示画質が低下することとなった場合であっても、ソース信号の極性反転の空間的周期を短くすることで、表示画質の低下を抑制することができる。したがって、消費電力を低減しつつ、表示画質の低下を抑制することができる。
【０１７１】
また、上記表示装置において、前記リフレッシュレートが増大した場合、前記極性反転制御手段は、前記空間的周期を長くすることが好ましい。
【０１７２】
この構成によれば、リフレッシュレートが増大したことにより、消費電力が増加することとなった場合であっても、ソース信号の極性反転の空間的周期を長くすることで、消費電力の増加を抑制することができる。したがって、表示画質を向上しつつ、消費電力の増加を抑制することができる。
【０１７３】
また、上記表示装置において、前記リフレッシュレートが低下した場合、前記極性反転制御手段は、前記時間的周期を短くすることが好ましい。
【０１７４】
この構成によれば、リフレッシュレートが低下したことにより、表示画質が低下することとなった場合であっても、ソース信号の極性反転の時間的周期を短くすることで、表示画質の低下を抑制することができる。したがって、消費電力を低減しつつ、表示画質の低下を抑制することができる。
【０１７５】
また、上記表示装置において、前記リフレッシュレートが増大した場合、前記極性反転制御手段は、前記時間的周期を長くすることが好ましい。
【０１７６】
この構成によれば、リフレッシュレートが増大したことにより、消費電力が増加することとなった場合であっても、ソース信号の極性反転の時間的周期を長くすることで、消費電力の増加を抑制することができる。したがって、表示画質を向上しつつ、消費電力の増加を抑制することができる。
【０１７７】
また、上記表示装置において、前記リフレッシュレートが３５Ｈｚよりも低下した場合、前記極性反転制御手段は、前記時間的周期および前記空間的周期の少なくともいずれか一方を短くすることが好ましい。
【０１７８】
リフレッシュレートが３５Ｈｚよりも低い場合には、フリッカ等の表示不具合が生じ易くなる。したがって、この構成によれば、より適切なタイミングで、ソース信号の極性反転の時間的周期および／または空間的周期を変更することができる。
【０１７９】
また、上記表示装置において、前記リフレッシュレートが６５Ｈｚよりも増大した場合、前記極性反転制御手段は、前記時間的周期および前記空間的周期の少なくともいずれか一方を長くすることが好ましい。
【０１８０】
リフレッシュレートが６５Ｈｚよりも高い場合には、消費電力が増加しがちである。したがって、この構成によれば、より適切なタイミングで、ソース信号の極性反転の時間的周期および／または空間的周期を変更することができる。
【０１８１】
また、上記表示装置において、前記極性反転制御手段は、前記時間的周期および前記空間的周期の少なくともいずれか一方を、徐々に変更することが好ましい。
【０１８２】
この構成によれば、ソース信号の極性反転の時間的周期または空間的周期が、変更前の時間的周期または空間的周期から、変更後の時間的周期または空間的周期に向かって徐々に変更されるため、時間的周期または空間的周期を変更する際の、ユーザに与える見た目の違和感を抑制することができる。
【０１８３】
また、上記表示装置において、前記極性反転制御手段は、偶数毎のフレームを単位として、前記時間的周期および前記空間的周期の少なくともいずれか一方を、段階的に変更することが好ましい。
【０１８４】
この構成によれば、複数の画素の各々に対して、正極のソース信号と負極のソース信号とをバランス良く書き込むことができるので、その画素に書き込まれるソース信号の極性の偏りをなくすことができる。
【０１８５】
また、上記表示装置において、前記複数の画素の各々のＴＦＴの半導体層には、酸化物半導体が用いられていることが好ましい。
【０１８６】
この構成によれば、表示装置において、各々の画素に対してオン特性およびオフ特性に優れている酸化物半導体を用いたＴＦＴを採用することで、リフレッシュレートの増減が容易になり、消費電力を低減する必要性や、表示画質の低下を抑制する必要性が高くなる。このため、このような表示装置において本表示装置を適用することにより、より有用な効果を奏することができるのである。
【０１８７】
また、上記表示装置において、前記酸化物半導体は、ＩＧＺＯ（ＩｎＧａＺｎＯｘ）であることが好ましい。
【０１８８】
この構成によれば、上記表示装置において、複数の画素の各々のＴＦＴとして、オン特性およびオフ特性により優れているＩＧＺＯを用いたＴＦＴを採用することにより、上記表示装置は、リフレッシュレートの増減がより容易なものとなる。このような表示装置は、特に消費電力を低減する必要性や、表示画質の低下を抑制する必要性が高くなり易いため、このような表示装置において本表示装置を適用することで、より有用な効果を奏することができるのである。
【０１８９】
また、上記表示装置において、前記リフレッシュレート変更手段は、前記表示パネルの駆動を休止する休止期間を設けることにより、前記表示パネルのリフレッシュレートを低下させることが好ましい。
【０１９０】
この構成によれば、休止期間を設けずにリフレッシュレートを下げるよりも、消費電力をより低減することができる。
【産業上の利用可能性】
【０１９１】
本発明に係る表示装置は、液晶表示装置、有機ＥＬ表示装置、および電子ペーパー等、アクティブマトリクス方式を採用した各種表示装置において利用可能である。
【符号の説明】
【０１９２】
１        表示装置
２        表示パネル
４        走査線駆動回路
６        信号線駆動回路
８        共通電極駆動回路
１０      タイミングコントローラ
１２      電源生成回路
１５      リフレッシュレート変更部（リフレッシュレート変更手段）
２０      極性反転制御部（極性反転制御手段）
３０      システム側コントロール部
【図１】
2013024754.tif 000003
【図２】
2013024754.tif 000004
【図３】
2013024754.tif 000005
【図４】
2013024754.tif 000006
【図５】
2013024754.tif 000007
【図６】
2013024754.tif 000008
【図７】
2013024754.tif 000009
【図８】
2013024754.tif 000010
【図９】
2013024754.tif 000011
【図１０】
2013024754.tif 000012
【図１１】
2013024754.tif 000013
【図１２】
2013024754.tif 000014
【図１３】
2013024754.tif 000015
【図１４】
2013024754.tif 000016
【図１５】
2013024754.tif 000017
【国際調査報告】
2013024754.tif 000018
2013024754.tif 000019
2013024754.tif 000020
2013024754.tif 000021